(57)【要約】【課題】扉を筐体に対して閉・半開・全開の三段階で開閉操作でき、大型扉でも、その全周を筐体に均一に締め付けられるロックハンドル装置を提供する。【解決手段】ロックハンドル装置１は、扉５２に取り付けられるハンドル組立体２と、そこから離れた位置において扉５２に取り付けられる一対の掛金組立体３と、これとハンドル組立体２とを結合する連結部材４と、掛金組立体３に対向して筐体５１に取り付けられる受金組立体５とを具備する。掛金体１２は、第１及び第２の係合凹部１５ａ，ｂを持ち、これらに係合ピン１４が係合し、扉５２を閉位置、半開位置に配置する。操作ハンドル５の回転操作が、駆動レバー９、連結部材４を介して掛金体１２に伝達され、複数箇所で扉５２を三段階で開閉操作できる。【選択図】図３
2018128205.tif 000002
【特許請求の範囲】
【請求項１】
筐体の開口部を開閉するように筐体に取り付けられ、ガスケットを介して後面板で開口部を密閉する扉のロックハンドル装置であって、
前記扉に取り付けられるハンドル組立体と、当該ハンドル組立体から離れた位置において前記扉に取り付けられる掛金組立体と、当該掛金組立体と前記ハンドル組立体とを結合する連結部材と、前記掛金組立体に対向するように前記筐体に取り付けられる受金組立体とを具備し、
前記ハンドル組立体は、前記扉の前面板に固着される固定受座と、当該固定受け座に軸周り回転自在に支持され前端側が操作ハンドルに固定され前記前面板を前後方向に垂直に貫通して後端側が当該前面板の裏側への突出するハンドル軸と、当該ハンドル軸の前端側に固着され前記前面板と平行な面に沿ってハンドル軸と一体に開位置・半開位置・閉位置の間を正逆回転操作可能な操作ハンドルと、当該ハンドル軸の後端側に固着され前記前面板と平行な面に沿って操作ハンドルと一体に開位置・半開位置・閉位置の間を正逆回転する駆動レバーとを具備し、
前記掛金組立体は、前記扉の前面板の後面側に固着される軸受け部材と、当該軸受け部材に前記前面板に対して垂直に支持される枢軸と、当該枢軸の周りに前記前面板と平行な面に沿って回転自在に支持され開位置・半開位置・閉位置の間を正逆回転する掛金体とを具備し、
前記連結部材は、前記掛金体を前記駆動レバーと一体に開位置・半開位置・閉位置の間で回転させるように、一端側において前記駆動レバーに枢支され、他端側において前記掛金体に枢支され、
前記受金組立体は、筐体に固定される取付座と、当該取付座から前記扉の前面板と平行に前記枢軸の軸心に向かって半径方向に延出する係合ピンとを具備し、
前記掛金体は、前記枢軸と同心の概略扇型状に半径方向へ延出する係合部を具備し、
前記係合部の前面側には、前記受金組立体の係合ピンの裏側に係合する第１の係合凹部及び第２の係合凹部と、両係合凹部間において斜面を介して前方へ隆起する隆起部とが、前記枢軸と同心円周上に並んで形成され、
前記第１の係合凹部は、前記第２の係合凹部よりも後方に配置され、
前記操作ハンドルが半開位置にあるとき前記掛金体の第１の係合凹部に前記係合ピンを係合させることによって前記扉を前記筐体に対して半開状態に配置し、前記操作ハンドルが閉位置にあるとき前記掛金体の第２の係合凹部に前記係合ピンを係合させることによって前記扉を前記筐体に対して密閉状態に配置するように構成されることを特徴とする扉のロックハンドル装置。
【発明の詳細な説明】
【技術分野】
【０００１】
本発明は、スチームオーブンなどにおける扉の開閉操作に使用される扉用ロックハンドル装置に関するものである。
【背景技術】
【０００２】
スチームオーブンなどの調理機器に使用される扉用ロックハンドル装置では、筐体内の蒸気や熱気が逃げないように、ガスケットを介して扉を締め込んで密閉した状態でロックする必要がある。この種の扉用ロックハンドル装置では、扉を貫通するハンドル軸に掛金体が設けられ、この掛金体に係合する受金体が筐体側に設けられ、操作ハンドルの開位置と閉位置間の正逆回転により、掛金体と受金体とが係合、離脱するようになっている。特許文献１に記載のロックハンドル装置においては、操作ハンドルが半開位置にあるとき掛金体の第１の係合凹部に係合ピンを係合させることによって扉を筐体に対して半開状態に配置し、操作ハンドルが閉位置にあるとき掛金体の第２の係合凹部に係合ピンを係合させることによって扉を筐体に対して密閉状態に配置するように構成される。
【先行技術文献】
【特許文献】
【０００３】
【特許文献１】特開２０１６−１８３５２２号公報
【発明の概要】
【発明が解決しようとする課題】
【０００４】
上記従来のロックハンドル装置においては、単一のハンドル軸に掛金体が設けられ、これが単一の受金体に係合するものであるため、扉が大型化すると、その全周を筐体に対して均一に締め付けることができない。
したがって、本発明は、扉を筐体に対して閉位置・半開位置・全開位置の三段階で開閉操作することができるロックハンドル装置において、扉が大型化しても、その全周を筐体に対して均一に締め付けることができるものを提供することを目的としている。
【課題を解決するための手段】
【０００５】
以下、添付図面の符号を参照して説明するが、本発明はこれに限定されるものではない。
上記課題を解決するための、本発明の扉用ロックハンドル装置１は、筐体５１の開口部を開閉するように筐体５１に取り付けられ、ガスケット５３を介して後面板５２ｂで開口部を密閉する扉５２のロックハンドル装置であって、扉５２に取り付けられるハンドル組立体２と、このハンドル組立体２から離れた位置において扉５２に取り付けられる掛金組立体３と、この掛金組立体３とハンドル組立体２とを結合する連結部材４と、掛金組立体３に対向するように筐体５１に取り付けられる受金組立体５とを具備する。ハンドル組立体２は、固定受座６、ハンドル軸８、操作ハンドル７、駆動レバー９を具備する。固定受座６は扉５２の前面板５２ａに固着される。ハンドル軸８は、固定受け座６に軸周り回転自在に支持され、前端側が操作ハンドル７に固定され、前面板５２ａを前後方向に垂直に貫通して後端側が前面板５２ａの裏側への突出する。操作ハンドル７は、ハンドル軸８の前端側に固着され、前面板５２ａと平行な面に沿ってハンドル軸８と一体に開位置・半開位置・閉位置の間を正逆回転操作可能である。駆動レバー９は、ハンドル軸８の後端側に固着され、前面板５２ａと平行な面に沿って操作ハンドル７と一体に開位置・半開位置・閉位置の間を正逆回転する。掛金組立体３は、軸受け部材１０、枢軸１１、掛金体１２を具備する。軸受け部材１０は、扉５２の前面板５２ａの後面側に固着される。枢軸１１は、軸受け部材１０に、前面板５２ａに対して垂直に支持される。掛金体１２は、枢軸１１周りに、前面板５２ａと平行な面に沿って回転自在に支持され、開位置・半開位置・閉位置の間を正逆回転する。連結部材４は、掛金体１２を駆動レバー９と一体に開位置・半開位置・閉位置の間で回転させるように、一端側において駆動レバー９に枢支され、他端側において掛金体１２に枢支される。受金組立体５は、筐体５１に固定される取付座１３と、当該取付座１３から扉５２の前面板５２ａと平行に、扉５２が閉位置にあるときの掛金組立体３の枢軸１１の軸心に向かって半径方向に延出する係合ピン１４とを具備する。掛金体１２は、枢軸１１と同心の概略扇型状に半径方向へ延出する係合部１５を具備する。係合部１５の前面側には、受金組立体５の係合ピン１４の裏側に係合する第１の係合凹部１５ａ及び第２の係合凹部１５ｂと、両係合凹部間において斜面１５ｃを介して前方へ隆起する隆起部１５ｄとが、枢軸１１と同心円周上に並んで形成される。第１の係合凹部１５ａは、第２の係合凹部１５ｂよりも後方に配置される。操作ハンドル７が半開位置にあるとき、掛金体１２の第１の係合凹部１５ａに係合ピン１４を係合させることによって、扉５２を筐体５１に対して半開状態に配置し、操作ハンドル７が閉位置にあるとき、掛金体１２の第２の係合凹部１５ａに係合ピン１４を係合させることによって扉５２を筐体５１に対して密閉状態に配置するように構成される。
【発明の効果】
【０００６】
本発明の扉用ロックハンドル装置１は、単一の操作ハンドル７の単純な回転操作のみによって、ガスケット５３ａを圧縮しながら比較的大型の扉５２を筐体５１の開口周縁枠に均等に密着させて筐体５１の開口を密閉することができ、また、扉５２の開放操作時に、半開による高圧蒸気の放出過程を経て、安全性を向上することができる。
【図面の簡単な説明】
【０００７】
【図１】本発明に係る扉のロックハンドル装置の正面図である。
【図２】図１のロックハンドル装置の側面図である。
【図３】図１のロックハンドル装置の平面図である。
【図４】図１のロックハンドル装置における掛金体の正面図である。
【図５】図１のロックハンドル装置における掛金体の側面図である。
【発明を実施するための形態】
【０００８】
図面を参照して本発明の実施の形態を説明する。
図２、図３において、ロックハンドル装置１は、スチームオーブンなどの筐体５１の扉５２を開閉操作するためのもので、筐体５１と扉５２の後面板５２ｂとの間のガスケット５３を圧縮して開口を密閉した状態で、扉５２を筐体５１にロックすることができる。
【０００９】
図１、図２において、ロックハンドル装置１は、扉５２に取り付けられるハンドル組立体２と、このハンドル組立体２から離れた上方及び下方位置において扉５２に取り付けられる一対の掛金組立体３と、この掛金組立体３とハンドル組立体２とを結合する連結部材４と、掛金組立体３に対向するように筐体５１に取り付けられる受金組立体５とを具備する。
【００１０】
図１、図２において、ハンドル組立体２は、固定受座６と、操作ハンドル７と、ハンドル軸８と、駆動レバー９とを具備する。
【００１１】
図２において、固定受座６は、扉５２の前面板５２ａに固着される。ハンドル軸８は、固定受け座６に軸周り回転自在に支持され、前端側が操作ハンドル７に固定され、前面板５２ａを前後方向に垂直に貫通し、後端側が前面板５２ａの裏側への突出する。
【００１２】
操作ハンドル７は、ハンドル軸８の前端側に固着され、前面板５２ａと平行な面に沿ってハンドル軸８と一体に、相互に所定の回転角度離れた開位置・半開位置・閉位置の間を正逆回転操作可能である。
【００１３】
駆動レバー９は、ハンドル軸８の後端側に固着され、前面板５２ａと平行な面に沿って、操作ハンドル７と一体に開位置ｃ・半開位置ｂ・閉位置ｃの間を正逆回転する。駆動レバー９の先端部に、上方へ伸びる連結部材４、下方へ延びる連結部材４の一端が枢着される。
【００１４】
図２，３に示すように、掛金組立体３は、軸受け部材１０、枢軸１１、掛金体１２を具備する。
【００１５】
軸受け部材１０は、扉５２の前面板５２ａの後面側に固着される。枢軸１１は、軸受け部材１０に、前面板５２ａに対して垂直に支持される。
【００１６】
掛金体１２は、枢軸１１周りに、前面板５２ａと平行な面に沿って回転自在に支持され、開位置・半開位置・閉位置の間を正逆回転する。
【００１７】
連結部材４は、掛金体１２を駆動レバー９と一体に開位置・半開位置・閉位置の間で回転させるように、一端側において駆動レバー９に枢支され、他端側において掛金体１２に枢支される。
【００１８】
図３に示すように、受金組立体５は、筐体５１に固定される取付座１３と、係合ピン１４とを具備する。係合ピン１４は、取付座１１から、扉５２の前面板５２ａと平行に、扉５２が閉位置にあるときの掛金組立体３の枢軸１１の軸心に向かって半径方向に延出する。
【００１９】
図４，５に示すように、掛金体１２は、枢軸１１と同心の概略扇型状に半径方向へ延出する係合部１５と、これと反対方向得延出するレバー部１６とを具備し、レバー部１６に連結部材４の端部が枢着される。
【００２０】
係合部１５の前面側には、受金組立体５の係合ピン１４の裏側に係合する第１の係合凹部１５ａ及び第２の係合凹部１５ｂと、両係合凹部間において斜面１５ｃを介して前方へ隆起する隆起部１５ｄとが、枢軸１１と同心円周上に並んで形成される。第１の係合凹部１５ａは、第２の係合凹部１５ｂよりも後方に配置される。操作ハンドル７が半開位置にあるとき、掛金体１２の第１の係合凹部１５ａに係合ピン１４を係合させることによって、扉５２を筐体５１に対して半開状態に配置し、操作ハンドル７が閉位置にあるとき掛金体１２の第２の係合凹部１５ｂに係合ピン１４を係合させることによって扉５２を筐体５１に対して密閉状態に配置するように構成される。
【００２１】
操作ハンドル７が半開位置にあるとき、掛金体１２の第１の係合凹部１０ａに係合ピン１４が係合し、扉５２を筐体５１に対して半開状態に配置する。操作ハンドル７が閉位置にあるとき、掛金体１２の第２の係合凹部１０ｂに係合ピン１４が係合し、ガスケットを圧縮した状態で扉５２を筐体５１に対して密閉する。操作ハンドル７が開位置にあるとき、掛金体１２が係合ピン１４から外れて、扉５２を開放することができる。操作ハンドル７を閉位置から開位置へ回転する途上で、半開位置を経ることにより、この位置で筐体５１内の高温高圧の蒸気を逃がして安全に扉５２を全開することができる。
【符号の説明】
【００２２】
１      ロックハンドル装置
２      ハンドル組立体
３      掛金組立体
４      連結部材
５      受金組立体
６      固定受座
７      操作ハンドル
８      ハンドル軸
９      駆動レバー
１０    軸受部材
１１    枢軸
１２    掛金体
１３    取付座
１４    係合ピン
１５    係合部
１５ａ  第１の係合凹部
１５ｂ  第２の係合凹部
１５ｃ  斜面
１５ｄ  隆起部
１６    レバー部
５１    筐体
５２    扉
５３    ガスケット
【図１】
2018128205.tif 000003
【図２】
2018128205.tif 000004
【図３】
2018128205.tif 000005
【図４】
2018128205.tif 000006
【図５】
2018128205.tif 000007